(57)【要約】   スケジューリング制御信号がピア・ツー・ピア・リソースにおいて受信される、無線デバイス、方法、および無線デバイス内のコンピュータ・プログラム製品が提供される。加えて、データ送信を放棄すべきかどうかが、受信されたスケジューリング制御信号に基づいて決定される。さらに、データ送信を放棄しないことが決定されると、データ送信は、ピア・ツー・ピア・リソースで基地局に送られる。スケジューリング制御信号がピア・ツー・ピア・リソースにおいて受信される、基地局、方法、および基地局内のコンピュータ・プログラム製品もまた、提供される。加えて、データ送信を放棄すべきかどうかが、受信されたスケジューリング制御信号に基づいて決定される。さらに、データ送信を放棄しないことが決定されると、データ送信は、ピア・ツー・ピア・リソースで無線デバイスに送られる。
2013543325.tif 000002
【特許請求の範囲】
【請求項１】
無線デバイスの方法であって、
ピア・ツー・ピア・リソースにおいてスケジューリング制御信号を受信することと、
前記受信されたスケジューリング制御信号に基づいて、データ送信を放棄すべきかどうかを決定することと、
前記データ送信を放棄しないことを決定すると、前記データ送信を前記ピア・ツー・ピア・リソースで基地局に送ることと
を備える方法。
【請求項２】
前記ピア・ツー・ピア・リソースと直交する無線広域ネットワーク・リソースで前記基地局から上りリンク許可を受信することをさらに備え、前記上りリンク許可は、前記データ送信が前記ピア・ツー・ピア・リソースを使用して前記基地局に送られ得ることを示す、請求項１に記載の方法。
【請求項３】
前記ピア・ツー・ピア・リソースと直交する前記無線広域ネットワーク・リソースで前記データ送信についてのレート情報を受信することをさらに備える、請求項２に記載の方法。
【請求項４】
前記スケジューリング制御信号は、前記基地局以外の別の無線デバイスから受信された送信要求応答信号を備える、請求項１に記載の方法。
【請求項５】
前記データ送信は、前記送信要求応答信号に基づいて放棄される、請求項４に記載の方法。
【請求項６】
前記データ送信に応答して前記基地局から肯定応答（ＡＣＫ）または否定応答（ＮＡＣＫ）を受信することをさらに備え、前記ＡＣＫ／ＮＡＣＫは、前記ピア・ツー・ピア・リソースと直交する無線広域ネットワーク・リソースにおいて受信される、請求項１に記載の方法。
【請求項７】
送信要求を前記基地局に送ることをさらに備える、請求項１に記載の方法。
【請求項８】
送信要求応答信号が前記基地局から受信されない場合、前記データ送信を送ることを控えることをさらに備える、請求項７に記載の方法。
【請求項９】
前記データ送信は、前記基地局から送信要求応答信号を受信しなくても、前記基地局に送られる、請求項７に記載の方法。
【請求項１０】
基地局の方法であって、
ピア・ツー・ピア・リソースにおいてスケジューリング制御信号を受信することと、
前記受信されたスケジューリング制御信号に基づいて、データ送信を放棄すべきかどうかを決定することと、
前記データ送信を放棄しないことを決定すると、前記データ送信を前記ピア・ツー・ピア・リソースで無線デバイスに送ることと
を備える方法。
【請求項１１】
前記ピア・ツー・ピア・リソースと直交する無線広域ネットワーク・リソースで前記無線デバイスに下りリンク許可を送ることをさらに備え、前記下りリンク許可は、前記データ送信が前記ピア・ツー・ピア・リソースを使用して前記無線デバイスに送られ得ることを示す、請求項１０に記載の方法。
【請求項１２】
前記下りリンク許可は、前記ピア・ツー・ピア・リソースでの前記データ送信についてのレート情報を含む、請求項１１に記載の方法。
【請求項１３】
前記スケジューリング制御信号は、前記無線デバイス以外の別の無線デバイスから受信された送信要求応答信号を備える、請求項１０に記載の方法。
【請求項１４】
前記データ送信は、前記送信要求応答信号に基づいて放棄される、請求項１３に記載の方法。
【請求項１５】
前記データ送信に応答して前記無線デバイスから肯定応答（ＡＣＫ）または否定応答（ＮＡＣＫ）を受信することをさらに備え、前記ＡＣＫ／ＮＡＣＫは、前記ピア・ツー・ピア・リソースと直交する無線広域ネットワーク・リソースにおいて受信される、請求項１０に記載の方法。
【請求項１６】
送信要求を前記無線デバイスに送ることをさらに備える、請求項１０に記載の方法。
【請求項１７】
送信要求応答信号が前記無線デバイスから受信されない場合、前記データ送信を送ることを控えることをさらに備える、請求項１６に記載の方法。
【請求項１８】
前記データ送信は、前記無線デバイスから送信要求応答信号を受信しなくても、前記無線デバイスに送られる、請求項１６に記載の方法。
【請求項１９】
無線デバイスであって、
ピア・ツー・ピア・リソースにおいてスケジューリング制御信号を受信するための手段と、
前記受信されたスケジューリング制御信号に基づいて、データ送信を放棄すべきかどうかを決定するための手段と、
前記データ送信を放棄しないことを決定すると、前記データ送信を前記ピア・ツー・ピア・リソースで基地局に送るための手段と
を備える無線デバイス。
【請求項２０】
前記ピア・ツー・ピア・リソースと直交する無線広域ネットワーク・リソースで前記基地局から上りリンク許可を受信するための手段をさらに備え、前記上りリンク許可は、前記データ送信が前記ピア・ツー・ピア・リソースを使用して前記基地局に送られ得ることを示す、請求項１９に記載の無線デバイス。
【請求項２１】
前記ピア・ツー・ピア・リソースと直交する前記無線広域ネットワーク・リソースで前記データ送信についてのレート情報を受信するための手段をさらに備える、請求項２０に記載の無線デバイス。
【請求項２２】
前記スケジューリング制御信号は、前記基地局以外の別の無線デバイスから受信された送信要求応答信号を備える、請求項１９に記載の無線デバイス。
【請求項２３】
前記データ送信は、前記送信要求応答信号に基づいて放棄される、請求項２２に記載の無線デバイス。
【請求項２４】
前記データ送信に応答して前記基地局から肯定応答（ＡＣＫ）または否定応答（ＮＡＣＫ）を受信するための手段をさらに備え、前記ＡＣＫ／ＮＡＣＫは、前記ピア・ツー・ピア・リソースと直交する無線広域ネットワーク・リソースにおいて受信される、請求項１９に記載の無線デバイス。
【請求項２５】
送信要求を前記基地局に送るための手段をさらに備える、請求項１９に記載の無線デバイス。
【請求項２６】
送信要求応答信号が前記基地局から受信されない場合、前記データ送信を送ることを控えるための手段をさらに備える、請求項２５に記載の無線デバイス。
【請求項２７】
前記データ送信は、前記基地局から送信要求応答信号を受信しなくても、前記基地局に送られる、請求項２５に記載の無線デバイス。
【請求項２８】
基地局であって、
ピア・ツー・ピア・リソースにおいてスケジューリング制御信号を受信するための手段と、
前記受信されたスケジューリング制御信号に基づいて、データ送信を放棄すべきかどうかを決定するための手段と、
前記データ送信を放棄しないことを決定すると、前記データ送信を前記ピア・ツー・ピア・リソースで無線デバイスに送るための手段と
を備える基地局。
【請求項２９】
前記ピア・ツー・ピア・リソースと直交する無線広域ネットワーク・リソースで前記無線デバイスに下りリンク許可を送るための手段をさらに備え、前記下りリンク許可は、前記データ送信が前記ピア・ツー・ピア・リソースを使用して前記無線デバイスに送られ得ることを示す、請求項２８に記載の基地局。
【請求項３０】
前記下りリンク許可は、前記ピア・ツー・ピア・リソースでの前記データ送信についてのレート情報を含む、請求項２９に記載の基地局。
【請求項３１】
前記スケジューリング制御信号は、前記無線デバイス以外の別の無線デバイスから受信された送信要求応答信号を備える、請求項２８に記載の基地局。
【請求項３２】
前記データ送信は、前記送信要求応答信号に基づいて放棄される、請求項３１に記載の基地局。
【請求項３３】
前記データ送信に応答して前記無線デバイスから肯定応答（ＡＣＫ）または否定応答（ＮＡＣＫ）を受信するための手段をさらに備え、前記ＡＣＫ／ＮＡＣＫは、前記ピア・ツー・ピア・リソースと直交する無線広域ネットワーク・リソースにおいて受信される、請求項２８に記載の基地局。
【請求項３４】
送信要求を前記無線デバイスに送るための手段をさらに備える、請求項２８に記載の基地局。
【請求項３５】
送信要求応答信号が前記無線デバイスから受信されない場合、前記データ送信を送ることを控えるための手段をさらに備える、請求項３４に記載の基地局。
【請求項３６】
前記データ送信は、前記無線デバイスから送信要求応答信号を受信しなくても、前記無線デバイスに送られる、請求項３４に記載の基地局。
【請求項３７】
コンピュータ読取可能な媒体を備える、無線デバイス内のコンピュータ・プログラム製品であって、前記コンピュータ読取可能な媒体は、
ピア・ツー・ピア・リソースにおいてスケジューリング制御信号を受信し、
前記受信されたスケジューリング制御信号に基づいて、データ送信を放棄すべきかどうかを決定し、
前記データ送信を放棄しないことを決定すると、前記データ送信を前記ピア・ツー・ピア・リソースで基地局に送る
ためのコードを備える、コンピュータ・プログラム製品。
【請求項３８】
コンピュータ読取可能な媒体を備える、基地局内のコンピュータ・プログラム製品であって、前記コンピュータ読取可能な媒体は、
ピア・ツー・ピア・リソースにおいてスケジューリング制御信号を受信し、
前記受信されたスケジューリング制御信号に基づいて、データ送信を放棄すべきかどうかを決定し、
前記データ送信を放棄しないことを決定すると、前記データ送信を前記ピア・ツー・ピア・リソースで無線デバイスに送る
ためのコードを備える、コンピュータ・プログラム製品。
【請求項３９】
無線デバイスであって、
ピア・ツー・ピア・リソースにおいてスケジューリング制御信号を受信し、
前記受信されたスケジューリング制御信号に基づいて、データ送信を放棄すべきかどうかを決定し、
前記データ送信を放棄しないことを決定すると、前記データ送信を前記ピア・ツー・ピア・リソースで基地局に送る
ように構成された処理システム
を備える、無線デバイス。
【請求項４０】
基地局であって、
ピア・ツー・ピア・リソースにおいてスケジューリング制御信号を受信し、
前記受信されたスケジューリング制御信号に基づいて、データ送信を放棄すべきかどうかを決定し、
前記データ送信を放棄しないことを決定すると、前記データ送信を前記ピア・ツー・ピア・リソースで無線デバイスに送る
ように構成された処理システム
を備える、基地局。
【請求項４１】
無線デバイスの方法であって、
ピア・ツー・ピア・リソースと直交する無線広域ネットワーク・リソースで基地局から下りリンク許可を受信することと、ここで、前記下りリンク許可は、データ送信が前記ピア・ツー・ピア・リソースを使用して前記無線デバイスに送られ得ることを示す、
前記ピア・ツー・ピア・リソースで前記基地局から前記データ送信を受信することと
を備える方法。
【請求項４２】
前記下りリンク許可は、前記ピア・ツー・ピア・リソースでの前記データ送信についてのレート情報を含む、請求項４１に記載の方法。
【請求項４３】
ピア・ツー・ピア・リソースにおいてスケジューリング制御信号を受信することと、
前記受信されたスケジューリング制御信号に基づいて、データ送信を放棄すべきかどうかを決定することと
をさらに備え、前記データ送信は、前記データ送信が放棄されないことが決定されると、前記ピア・ツー・ピア・リソースで前記基地局から受信される、請求項４１に記載の方法。
【請求項４４】
前記スケジューリング制御信号は、前記基地局以外の別の無線デバイスから受信された送信要求信号を備える、請求項４３に記載の方法。
【請求項４５】
前記データ送信は、前記送信要求信号に基づいて放棄される、請求項４４に記載の方法。
【請求項４６】
前記データ送信に応答して前記基地局に肯定応答（ＡＣＫ）または否定応答（ＮＡＣＫ）を送ることをさらに備え、前記ＡＣＫ／ＮＡＣＫは、前記ピア・ツー・ピア・リソースと直交する無線広域ネットワーク・リソースにおいて送られる、請求項４１に記載の方法。
【請求項４７】
無線デバイスであって、
ピア・ツー・ピア・リソースと直交する無線広域ネットワーク・リソースで基地局から下りリンク許可を受信するための手段と、ここで、前記下りリンク許可は、データ送信が前記ピア・ツー・ピア・リソースを使用して前記無線デバイスに送られ得ることを示す、
前記ピア・ツー・ピア・リソースで前記基地局から前記データ送信を受信するための手段と
を備える無線デバイス。
【請求項４８】
前記下りリンク許可は、前記ピア・ツー・ピア・リソースでの前記データ送信についてのレート情報を含む、請求項４７に記載の無線デバイス。
【請求項４９】
ピア・ツー・ピア・リソースにおいてスケジューリング制御信号を受信するための手段と、
前記受信されたスケジューリング制御信号に基づいて、データ送信を放棄すべきかどうかを決定するための手段と
をさらに備え、前記データ送信は、前記データ送信を放棄しないことが決定されると、前記ピア・ツー・ピア・リソースで前記基地局から受信される、請求項４７に記載の無線デバイス。
【請求項５０】
前記スケジューリング制御信号は、前記基地局以外の別の無線デバイスから受信された送信要求信号を備える、請求項４９に記載の無線デバイス。
【請求項５１】
前記データ送信は、前記送信要求信号に基づいて放棄される、請求項５０に記載の無線デバイス。
【請求項５２】
前記データ送信に応答して前記基地局に肯定応答（ＡＣＫ）または否定応答（ＮＡＣＫ）を送るための手段をさらに備え、前記ＡＣＫ／ＮＡＣＫは、前記ピア・ツー・ピア・リソースと直交する無線広域ネットワーク・リソースにおいて送られる、請求項４７に記載の無線デバイス。
【請求項５３】
無線デバイスであって、
ピア・ツー・ピア・リソースと直交する無線広域ネットワーク・リソースで基地局から下りリンク許可を受信し、ここで、前記下りリンク許可は、データ送信が前記ピア・ツー・ピア・リソースを使用して前記無線デバイスに送られ得ることを示す、
前記ピア・ツー・ピア・リソースで前記基地局から前記データ送信を受信する
ように構成された処理システム
を備える無線デバイス。
【請求項５４】
コンピュータ読取可能な媒体を備える、無線デバイス内のコンピュータ・プログラム製品であって、前記コンピュータ読取可能な媒体は、
ピア・ツー・ピア・リソースと直交する無線広域ネットワーク・リソースで基地局から下りリンク許可を受信し、ここで、前記下りリンク許可は、データ送信が前記ピア・ツー・ピア・リソースを使用して前記無線デバイスに送られ得ることを示す、
前記ピア・ツー・ピア・リソースで前記基地局から前記データ送信を受信する
ためのコードを備える、コンピュータ・プログラム製品。
【発明の詳細な説明】
【技術分野】
【０００１】
本開示は、一般的に通信システムに関し、より詳細には、セルラ・ネットワークにおけるピア・ツー・ピア・リンクおよび無線広域ネットワーク・リンクのジョイント・スケジューリングに関する。
【背景技術】
【０００２】
無線広域ネットワーク（ＷＷＡＮ）通信では、無線デバイスとサービング基地局との間の通信は、上りリンク（ＵＬ）チャネルと下りリンク（ＤＬ）チャネルとを介する。サービング基地局の負荷を減じるために、そのサービング基地局を介して互いに通信する２つの無線デバイスは、そのサービング基地局を介して通信するのではなく、ピア・ツー・ピア通信を使用して直接通信することができる。時間／周波数リソースは、ＷＷＡＮ通信およびピア・ツー・ピア通信の各々の専用であることができる。利用可能なリソースをより良く利用するために、同時ＷＷＡＮピア・ツー・ピア通信の効率を向上させることに対するニーズがある。
【発明の概要】
【０００３】
本開示の態様では、スケジューリング制御信号がピア・ツー・ピア・リソースにおいて受信される、無線デバイス、方法、および無線デバイス内のコンピュータ・プログラム製品が提供される。加えて、データ送信を放棄（yield ）すべきかどうかが、受信されたスケジューリング制御信号に基づいて決定される。さらに、データ送信を放棄しないことが決定されると、データ送信が、ピア・ツー・ピア・リソースで基地局に送信される。
【０００４】
本開示の態様では、スケジューリング制御信号がピア・ツー・ピア・リソースにおいて受信される、基地局、方法、および基地局内のコンピュータ・プログラム製品が提供される。加えて、データ送信を放棄すべきかどうかが、受信されたスケジューリング制御信号に基づいて決定される。さらに、データ送信を放棄しないことが決定されると、データ送信が、ピア・ツー・ピア・リソースで無線デバイスに送信される。
【０００５】
本開示の態様では、ＤＬ許可がピア・ツー・ピア・リソースと直交するＷＷＡＮリソースで基地局から受信される、無線デバイス、方法、および無線デバイス内のコンピュータ・プログラム製品が提供される。このＤＬ許可は、データ送信がピア・ツー・ピア・リソースを使用して無線デバイスに送られ得ることを示す。加えて、データ送信が、ピア・ツー・ピア・リソースで基地局から受信される。
【図面の簡単な説明】
【０００６】
【図１】図１は、処理システムを用いる装置のためのハードウェアの実装の例を示す図である。
【図２】図２は、無線ピア・ツー・ピア通信システムの図である。
【図３】図３は、無線デバイス間のピア・ツー・ピア通信のための時間構造を示す図である。
【図４】図４は、１つのグランドフレーム中のスーパーフレームの各フレームにおけるチャネルを示す図である。
【図５】図５は、トラヒック・チャネル・スロットの動作時系列および接続スケジューリングの構造を示す図である。
【図６】図６は、データ・セグメントの構造を示す図である。
【図７Ａ】図７Ａは、無線デバイスのための接続スケジューリング・シグナリング・スキームを示すための第１の図である。
【図７Ｂ】図７Ｂは、無線デバイスのための接続スケジューリング・シグナリング・スキームを示すための第２の図である。
【図８Ａ】図８Ａは、無線デバイスが、ＷＷＡＮ通信を使用して基地局と、ピア・ツー・ピア通信を使用して他の無線デバイスと通信するために割り当てられた、ＷＷＡＮリソースおよびピア・ツー・ピア・リソースを示す第１の図である。
【図８Ｂ】図８Ｂは、無線デバイスが、ＷＷＡＮ通信を使用して基地局と、ピア・ツー・ピア通信を使用して他の無線デバイスと通信するために割り当てられた、ＷＷＡＮリソースおよびピア・ツー・ピア・リソースを示す第２の図である。
【図９】図９は、例示的な方法を示すための図である。
【図１０】図１０は、例示的な別の方法を示すための図である。
【図１１】図１１は、無線デバイスによる無線通信方法のフローチャートである。
【図１２】図１２は、基地局による無線通信方法のフローチャートである。
【図１３】図１３は、例示的な装置の機能を示す概念的なブロック図である。
【図１４】図１４は、例示的な別の装置の機能を示す概念的なブロック図である。
【図１５】図１５は、無線デバイスによる別の無線通信方法のフローチャートである。
【図１６】図１６は、例示的なさらなる別の装置の機能を示す概念的なブロック図である。
【発明を実施するための形態】
【０００７】
添付の図面に関連して以下に述べられる詳細な説明は、さまざまな構成の説明を意図したものであり、本明細書において説明される概念が実現され得る、唯一の構成を表すことを意図したものではない。詳細な説明は、さまざまな概念の完全な理解を提供するために、具体的な詳細を含む。しかしながら、これらの概念がこれらの具体的な詳細なしに実現され得ることを当業者は理解するだろう。いくつかの例では、そのような概念をあいまいにすることを避けるために、周知の構造およびコンポーネントが、ブロック図の形態で示される。
【０００８】
通信システムのいくつかの態様が、ここでは、さまざまな装置および方法に関連して提示される。これらの装置および方法は、以下の詳細な説明において説明され、添付の図面では、さまざまなブロック、モジュール、コンポーネント、回路、ステップ、処理、アルゴリズム、等（まとめて「エレメント」と呼ばれる）によって示される。これらのエレメントは、電子ハードウェア、コンピュータ・ソフトウェア、またはそれらの任意の組み合わせを使用して実現されることができる。そのようなエレメントがハードウェアとして実現されるかソフトウェアとして実現されるかは、システム全体に課された特定の用途および設計の制約に依存する。
【０００９】
例として、エレメント、またはエレメントの任意の一部、またはエレメントの任意の組み合わせは、１つ以上のプロセッサを含む「処理システム」を用いて実現され得る。プロセッサの例には、本開示を通して説明されるさまざまな機能を実行するように構成された、マイクロプロセッサ、マイクロコントローラ、デジタル・シグナル・プロセッサ（ＤＳＰ）、フィールド・プログラマブル・ゲート・アレイ（ＦＰＧＡ）、プログラマブル・ロジック・デバイス（ＰＬＤ）、ステート・マシン、ゲート・ロジック、離散ハードウェア回路、および他の適切なハードウェアが含まれる。処理システムにおける１つ以上のプロセッサは、ソフトウェアを実行することができる。ソフトウェアは、ソフトウェア、ファームウェア、ミドルウェア、マイクロコード、ハードウェア記述言語と呼ばれる場合も、それ以外の名称で呼ばれる場合も、命令、命令のセット、コード、コード・セグメント、プログラム・コード、プログラム、サブプログラム、ソフトウェア・モジュール、アプリケーション、ソフトウェア・アプリケーション、ソフトウェア・パッケージ、ルーチン、サブルーチン、オブジェクト、実行ファイル、実行スレッド、プロシージャ、関数、等を意味するものと広く解釈されるべきである。ソフトウェアは、コンピュータ読取可能な媒体上に存在することができる。コンピュータ読取可能な媒体は、非一時的なコンピュータ読取可能な媒体であることができる。非一時的なコンピュータ読取可能な媒体は、例として、コンピュータによってアクセスおよび読取可能なソフトウェアおよび／または命令を記憶するための、磁気記憶デバイス（たとえば、ハードディスク、フロッピー（登録商標）ディスク、磁気ストリップ）、光学ディスク（たとえば、コンパクト・ディスク（ＣＤ）、デジタル多用途ディスク（ＤＶＤ））、スマートカード、フラッシュメモリ・デバイス（たとえば、カード、スティック、キードライブ）、ランダム・アクセス・メモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、リムーバブル・ディスク、および任意の他の適切な媒体を含む。コンピュータ読取可能な媒体はまた、例として、コンピュータによってアクセスおよび読取可能なソフトウェアおよび／または命令を伝送するための、搬送波、伝送回線、および任意の他の適切な媒体を含み得る。コンピュータ読取可能な媒体は、処理システムの内部、処理システムの外部に存在することができ、または、処理システムを含む複数のエンティティにわたって分散されることができる。コンピュータ読取可能な媒体は、コンピュータ・プログラム製品に組み込まれることができる。例として、コンピュータ・プログラム製品は、パッケージング材料内のコンピュータ読取可能な媒体を含むことができる。当業者は、システム全体に課された特定の用途および全体的な設計の制約に依存して、本開示全体を通して提示され説明される機能をどのように実現することが最善かを認識するだろう。
【００１０】
図１は、処理システム１１４を用いる装置１００のためのハードウェアの実装の例を示す概念図である。処理システム１１４は、バス１０２によって一般的に表されたバス・アーキテクチャを用いて実現されることができる。バス１０２は、処理システム１１４の特定の用途と全体的な設計の制約に依存して、任意の数の相互接続バスおよびブリッジを含むことができる。バス１０２は、プロセッサ１０４によって一般的に表された１つ以上のプロセッサや、コンピュータ読取可能な媒体１０６によって一般的に表されたコンピュータ読取可能な媒体を含む、さまざまな回路を互いに連結させる。バス１０２はまた、タイミング・ソース、周辺機器、電圧レギュレータ、電力管理回路といったさまざまな他の回路を連結させることもできるが、これらは、当該技術でよく知られているので、これ以上説明しない。バス・インタフェース１０８は、バス１０２とトランシーバ１１０との間のインタフェースを提供する。トランシーバ１１０は、伝送媒体を介してさまざまな他の装置と通信するための手段を提供する。
【００１１】
プロセッサ１０４は、バス１０２の管理や、コンピュータ読取可能な媒体１０６に記憶されたソフトウェアの実行を含む一般的な処理を担当する。このソフトウェアは、プロセッサ１０４によって実行されると、処理システム１１４に、任意の特定の装置に関して後に説明されるさまざまな機能を実行させる。コンピュータ読取可能な媒体１０６は、ソフトウェアを実行する際にプロセッサ１０４によって操作されるデータを記憶するために使用されることもできる。
【００１２】
図２は、例示的なピア・ツー・ピア通信システム２００の図である。ピア・ツー・ピア通信システム２００は、複数の無線デバイス２０６，２０８，２１０，２１２を含む。ピア・ツー・ピア通信システム２００は、たとえばＷＷＡＮといった、セルラ通信システムと重複し得る。無線デバイス２０６，２０８，２１０，２１２の中には、ピア・ツー・ピア通信で互いに通信し得るものもあれば、基地局２０４と通信し得るものもあり、その両方をし得るものもある。たとえば、図２に示すように、無線デバイス２０６，２０８が、ピア・ツー・ピア通信中であり、無線デバイス２１０，２１２が、ピア・ツー・ピア通信中である。無線デバイス２１２は、基地局２０４とも通信中である。
【００１３】
無線デバイスは、あるいは、当業者によって、ユーザ機器、モバイル局、サブスクライバ局、モバイル・ユニット、サブスクライバ・ユニット、無線ユニット、無線ノード、リモート・ユニット、モバイル・デバイス、無線通信デバイス、リモート・デバイス、モバイル・サブスクライバ局、アクセス端末、モバイル端末、無線端末、リモート端末、ハンドセット、ユーザ・エージェント、モバイル・クライアント、クライアント、または何らかの他の適切な専門用語で呼ばれることができる。基地局は、あるいは、当業者によって、アクセス・ポイント、基地トランシーバ局、無線基地局、無線トランシーバ、トランシーバ機能、ベーシック・サービス・セット（ＢＳＳ：basic service set ）、拡張サービス・セット（ＥＳＳ：extended service set ）、ノードＢ、発展型ノードＢ、または何らかの他の適切な専門用語で呼ばれることができる。
【００１４】
以下に説明される例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づいたＷｉ−Ｆｉ、に基づいた無線ピア・ツー・ピア通信システムのような、さまざまな無線ピア・ツー・ピア通信システムのうちのいずれかに適用可能である。説明を簡潔にするために、例示的な方法および装置は、ＦｌａｓｈＬｉｎＱのコンテキスト内で説明される。しかしながら、当業者は、例示的な方法および装置が、より一般的にさまざまな他の無線ピア・ツー・ピア通信システムに適用可能であることを理解するだろう。
【００１５】
図３は、無線デバイス１００間のピア・ツー・ピア通信のための時間構造を示す図３００である。ウルトラフレームは、５１２秒であり、６４個のメガフレームを含む。各メガフレームは、８秒であり、８個のグランドフレームを含む。各グランドフレームは、１秒であり、１５個のスーパーフレームを含む。各スーパーフレームは、約６６．６７ｍｓであり、３２個のフレームを含む。各フレームは、２．０８３３ｍｓである。
【００１６】
図４は、１つのグランドフレーム中のスーパーフレームの各フレームにおけるチャネルを示す図３１０である。第１のスーパーフレーム（インデクスは０）では、フレーム０は、予約されたチャネル（ＲＣＨ：reserved channel ）であり、フレーム１〜１０は各々、雑チャネル（ＭＣＣＨ：miscellaneous channel ）であり、フレーム１１〜３１は各々、トラヒック・チャネル（ＴＣＣＨ：traffic channel ）である。第２〜７のスーパーフレーム（インデクスは１：６）では、フレーム０は、ＲＣＨであり、フレーム１〜３１は各々、ＴＣＣＨである。第８のスーパーフレーム（インデクスは７）では、フレーム０は、ＲＣＨであり、フレーム１〜１０は各々、ＭＣＣＨであり、フレーム１１〜３１は各々、ＴＣＣＨである。第９〜１５のスーパーフレーム（インデクスは８：１４）では、フレーム０は、ＲＣＨであり、フレーム１〜３１は各々、ＴＣＣＨである。スーパーフレーム・インデクス０のＭＣＣＨは、セカンダリ・タイミング同期チャネルと、ピア発見チャネルと、ピア・ページ・チャネルと、予約されたスロットとを含む。スーパーフレーム・インデクス７のＭＣＣＨは、ピア・ページ・チャネルと予約されたスロットとを含む。ＴＣＣＨは、接続スケジューリングと、パイロットと、チャネル品質インジケータ（ＣＱＩ）フィードバックと、データ・セグメントと、肯定応答（ＡＣＫ）とを含む。
【００１７】
図５は、ＴＣＣＨスロットの動作時系列および接続スケジューリングの構造を示す図３４０である。図５に示すように、ＴＣＣＨスロットは、接続スケジューリング、レート・スケジューリング、データ・セグメント、ＡＣＫ、の４つのサブチャネルを含む。レート・スケジューリング・サブチャネルは、パイロット・セグメントとＣＱＩセグメントとを含む。ＡＣＫサブチャネルは、データ・セグメント・サブチャネルにおいて受信されたデータに応答して、ＡＣＫまたは否定応答（ＮＡＣＫ）を送信するためのものである。接続スケジューリング・サブチャネルは、より高いプライオリティのブロックＨと、より低いプライオリティのブロックＬ、の２つのブロックを含む。ブロックＨとブロックＬの各々は、複数のリソース・エレメント、すなわち、周波数領域における複数のサブキャリアと時間領域におけるＯＦＤＭシンボルとを含む。ブロックＨとブロックＬの各々は、複数のサブキャリアに及び、Ｔｘｐ−ブロックにおける４つのＯＦＤＭシンボルと、Ｔｘ−ブロックにおける４つのＯＦＤＭシンボルと、Ｒｘ−ブロックにおける４つのＯＦＤＭシンボルとを含む。１つのリソース・エレメント（またはトーン）は、１サブキャリア１ＯＦＤＭシンボルに対応する。
【００１８】
各リンクは、接続識別子（ＣＩＤ：connection identifier ）を有する。ＣＩＤに基づいて、特定のＴＣＣＨスロットのために、リンク中の無線デバイスは、特定のサブキャリアかつブロックＨまたはブロックＬ内の、Ｔｘｐ−ブロック、Ｔｘ−ブロック、Ｒｘ−ブロックの各々における、同一のそれぞれのＯＦＤＭシンボル位置におけるリソース・エレメントを割り当てられる。たとえば、特定のＴＣＣＨスロットにおいて、ＣＩＤ＝４であるリンクは、スケジューリング制御信号を送信／受信するために、ブロックＨのＴｘｐ−ブロックにおけるリソース・エレメント３４２と、ブロックＨのＴｘ−ブロックにおけるリソース・エレメント３４４と、ブロックＨのＲｘ−ブロックにおけるリソース・エレメント３４６とを割り当てられ得る。Ｔｘ−ブロックにおける送信要求信号は、データ・セグメントを送信するための電力と等しい電力によって送信される。Ｒｘ−ブロックにおける送信要求応答信号は、受信された送信要求信号の電力の逆数に比例した電力によって送信される。Ｔｘｐ−ブロック、Ｔｘ−ブロック、Ｒｘ−ブロックのためのリソース・エレメントの割り当てられたトリオは、サブキャリア（たとえば、異なるｋ個のサブキャリア）および各ＴＣＣＨスロットにおけるそれぞれのＯＦＤＭシンボル（たとえば、ブロックＨにおける４個、ブロックＬにおける４個、の異なる８個のＯＦＤＭシンボル）に対し異なる。
【００１９】
リンクに割り当てられたリソース・エレメントのトリオは、そのリンクの媒体アクセス・プライオリティを規定する。たとえば、リソース・エレメント３４２，３４４，３４６のトリオは、ｉ＝２およびｊ＝１に対応する。媒体アクセス・プライオリティは、ｋｉ＋ｊ＋１に等しく、ここで、ｉは、Ｔｘｐ，Ｔｘ，Ｒｘサブブロックの各々におけるそれぞれのＯＦＤＭシンボルであり、ｊは、サブキャリアであり、ｋは、サブキャリアの個数である。したがって、ｋ＝２８であると仮定すると、リソース・エレメント３４２，３４４，３４６は、媒体アクセス・プライオリティ５８に対応する。
【００２０】
図６は、データ・セグメントの構造を示す図３５０である。データ・セグメントは、周波数領域における複数のサブキャリアと時間領域におけるＯＦＤＭシンボルとに及ぶ、複数のリソース・エレメントを含む。データ・セグメントにおけるリソース・エレメントの一部、たとえばリソース・エレメント３５４は、データ・セグメントのために使用された符号化および／または変調に関するレート・インジケータ情報を搬送し得る。データ・セグメントにおける他のリソース・エレメント、たとえばリソース・エレメント３５２は、復調および復号のためにチャネル推定を可能にするためのパイロットを搬送し得る。
【００２１】
図７Ａは、無線デバイス１００のための例示的な接続スケジューリング・シグナリング・スキームを示すための第１の図３６０である。図７Ａに示すように、無線デバイスＡは、無線デバイスＢと通信中であり、無線デバイスＣは、無線デバイスＤと通信中であり、無線デバイスＥは、無線デバイスＦと通信中である。無線デバイスＡは、無線デバイスＢを超える送信プライオリティを有するものと仮定され、無線デバイスＣは、無線デバイスＤを超える送信プライオリティを有するものと仮定され、無線デバイスＥは、無線デバイスＦを超える送信プライオリティを有するものと仮定される。リンクの各々は、通信のための特定のスロットに依存した、異なる媒体アクセス・プライオリティを有する。通信のための特定のスロットに関し、リンク１（Ａ，Ｂ）は、媒体アクセス・プライオリティ２を有するものと仮定され、リンク２（Ｃ，Ｄ）は、媒体アクセス・プライオリティ１を有するものと仮定され、リンク３（Ｅ，Ｆ）は、媒体アクセス・プライオリティ７を有するものと仮定される。
【００２２】
図７Ｂは、無線デバイス１００のための例示的な接続スケジューリング・シグナリング・スキームを示すための第２の図３７０である。図７Ｂは、接続スケジューリング・サブチャネル中のブロックＨにおけるＴｘｐ，Ｔｘ，Ｒｘサブブロックの第１のそれぞれのＯＦＤＭシンボル（ｉ＝０，図５を参照）の接続スケジューリング・リソース（媒体アクセス・プライオリティ１〜ｋに対応する）を示す。接続スケジューリング・リソースは、複数のサブキャリアを含み、それらサブキャリアの各々は、ｋ個の周波数帯域のうちの１つに対応する。周波数帯域の各々は、特定の媒体アクセス・プライオリティに対応する。接続スケジューリング・リソースにおける１つのブロックは、Ｔｘｐ，Ｔｘ，Ｒｘ，の３つのサブブロック／位相に分けられる。Ｔｘｐ−ブロックは、リンクにおいて送信プライオリティを有するノードによって、その送信プライオリティを有するノードが送信機として動作するか受信機として動作するかを示すために使用される。送信プライオリティを有するノードが、Ｔｘｐ−ブロック中の割り当てられたＯＦＤＭシンボルで送信する場合、送信プライオリティを有するノードは、送信機として動作するつもりであるとの意思を、送信プライオリティを有しないノードに示す。送信プライオリティを有するノードが、Ｔｘｐ−ブロック中の割り当てられたＯＦＤＭシンボルで送信しない場合、送信プライオリティを有するノードは、受信機として動作するつもりであるとの意思を、送信プライオリティを有しないノードに示す。Ｔｘ−ブロックは、スケジューリングされることを要求するために、送信機となり得るものによって使用される。送信機は、トラヒック・チャネルのために使用される電力（すなわち、データ・セグメントを送信するための電力）と等しい電力で、Ｔｘ−ブロック中の割り当てられたＯＦＤＭシンボルで、ダイレクトな電力信号を送信する。受信機となり得るものは各々、Ｔｘ−ブロックにおけるトーンをリッスンし、Ｔｘ−ブロックの各々で受信された電力をそれ独自のリンクの送信機に割り当てられたＴｘ−ブロックで受信された電力と比較し、他のリンクの媒体アクセス・プライオリティに対するそれ独自のリンクの媒体アクセス・プライオリティとその比較とに基づいて、Ｒｘ−放棄すべきかどうかを決定する。
【００２３】
たとえば、ノードＡ，Ｄ，Ｅが、それぞれＰＡ ，ＰＤ ，ＰＥ に等しい電力で、Ｔｘ−ブロックにおいて送信要求信号を送信するものと仮定する。ノードＢは、ＰＡ ｜ｈＡＢ ｜２ と等しい電力でノードＡから送信要求信号を受信し、ここで、ｈＡＢ は、ノードＡとノードＢとの間のパスロスである。ノードＢは、ＰＤ ｜ｈＤＢ ｜２ と等しい電力でノードＤから送信要求信号を受信し、ここで、ｈＤＢ は、ノードＤとノードＢとの間のパスロスである。ノードＢは、ＰＥ ｜ｈＥＢ ｜２ と等しい電力でノードＥから送信要求信号を受信し、ここで、ｈＥＢ は、ノードＥとノードＢとの間のパスロスである。ノードＢは、Ｒｘ−放棄すべきかどうかを決定するために、ノードＡから受信された送信要求信号の電力をより高いプライオリティを有する他のノードから受信された送信要求信号の電力の合計で割ったものを、しきい値と比較する。ノードＢは、ノードＢがスケジューリングされた際の合理性のある信号対干渉比（ＳＩＲ）を見込んだ場合、Ｒｘ−放棄しない。すなわち、ノードＢは、ＰＡ ｜ｈＡＢ ｜２ ／ＰＤ ｜ｈＤＢ ｜２ ＞γＲＸ でない限りＲｘ−放棄し、ここで、γＲＸ は、しきい値（たとえば、９ｄＢ）である。
【００２４】
Ｒｘ−ブロックは、受信機となり得るものによって使用される。受信機がＲｘ−放棄することを選択した場合、受信機は、Ｒｘ−ブロック中の割り当てられたＯＦＤＭシンボルにおいて送信しない。そうでない場合、受信機は、それ独自のリンクの送信機から受信されたダイレクトな電力信号の電力の逆数に比例する電力で、Ｒｘ−ブロック中の割り当てられたＯＦＤＭシンボルにおいて、逆数エコー電力信号を送信する。すべての送信機が、データ・セグメントの送信をＴｘ−放棄すべきかどうかを決定するために、Ｒｘ−ブロックにおいてトーンをリッスンする。
【００２５】
たとえば、ノードＣは、ＰＤ ｜ｈＤＣ ｜２ と等しい電力でノードＤから送信要求信号を受信した場合、Ｋ／ＰＤ ｜ｈＤＣ ｜２ と等しい電力でＲｘ−ブロックにおいて送信要求応答信号を送信し、ここで、ｈＤＣ は、ノードＤとノードＣとの間のパスロスであり、Ｋは、すべてのノードにとって既知の定数である。ノードＡは、Ｋ｜ｈＣＡ ｜２ ／ＰＤ ｜ｈＤＣ ｜２ と等しい電力でノードＣから送信要求応答信号を受信し、ここで、ｈＣＡ は、ノードＣとノードＡとの間のパスロスである。ノードＡがノードＣに対してあまりに大きな干渉を起こしそうな場合、ノードＡはＴｘ−放棄する。すなわち、ノードＡは、ＰＤ ｜ｈＤＣ ｜２ ／ＰＡ ｜ｈＣＡ ｜２ ＞γＴＸ でない限りＴｘ−放棄し、ここで、γＴＸ は、しきい値（たとえば、９ｄＢ）である。
【００２６】
接続スケジューリング・シグナリング・スキームが、例とともに最もよく説明される。ノードＣは、送信すべきデータを有さず、媒体アクセス・プライオリティが１であるＴｘｐ−ブロックにおいて送信せず、ノードＡは、送信すべきデータを有し、媒体アクセス・プライオリティが２であるＴｘｐ−ブロックにおいて送信し、ノードＥは、送信すべきデータを有し、媒体アクセス・プライオリティが７であるＴｘｐ−ブロックにおいて送信する。ノードＤは、送信すべきデータを有し、媒体アクセス・プライオリティが１であるＴｘ−ブロックにおいて送信し、ノードＡは、媒体アクセス・プライオリティが２であるＴｘ−ブロックにおいて送信し、ノードＥは、媒体アクセス・プライオリティが７であるＴｘ−ブロックにおいて送信する。ノードＣは、Ｔｘ−ブロックにおいてトーンをリッスンし、ノードＣが最も高いプライオリティを有するので、媒体アクセス・プライオリティが１であるＲｘ−ブロックにおいて送信することを決定する。ノードＢは、Ｔｘ−ブロックにおいてトーンをリッスンし、そのリンクが、より高い媒体アクセス・プライオリティを有するリンク２に干渉しそうにないことを決定すると、媒体アクセス・プライオリティが２であるＲｘ−ブロックにおいて送信する。ノードＦは、Ｔｘ−ブロックにおいてトーンをリッスンし、そのリンクが、より高い媒体アクセス・プライオリティを有する両リンク１および／またはリンク２に干渉しそうであることを決定すると、媒体アクセス・プライオリティが７であるＲｘ−ブロックにおいて送信しないことにより、Ｒｘ−放棄する。その後、ＤおよびＡの両方は、データを送信すべきかどうかを決定するために、Ｒｘ−ブロックにおいてトーンをリッスンする。ＤのほうがＡよりも高いリンク媒体アクセス・プライオリティを有するので、Ｄがそのデータを送信する。Ａがその送信がＤからの送信に干渉しそうであることを決定した場合、Ａはデータの送信をＴｘ−放棄するだろう。
【００２７】
図８Ａおよび図８Ｂは、無線デバイスが、ＷＷＡＮ通信を使用して基地局と、ピア・ツー・ピア通信を使用して他の無線デバイスと通信するために割り当てられた、ＷＷＡＮリソースおよびピア・ツー・ピア・リソースを示す、図４００および図４５０である。図８Ａに示すように、ＷＷＡＮリソース４０２とピア・ツー・ピア・リソース４０４とを含む、周期的かつ直交したリソースが、時分割で割り当てられ得る。図８Ｂに示すように、ＷＷＡＮリソース４５２とピア・ツー・ピア・リソース４５４とを含む、周期的かつ直交したリソースが、周波数分割で割り当てられ得る。ＷＷＡＮリソース４０２，４５２は、基地局と無線デバイスとの間の通信のためのＵＬおよびＤＬチャネルを含み、ピア・ツー・ピア・リソース４０４，５５４は、図４，５，６に関し説明したような、２つの無線デバイス間の通信のためのチャネルを含む。ＷＷＡＮリソースおよびピア・ツー・ピア・リソースの時分割および周波数分割による割り当ての任意の組み合わせもまた可能である。
【００２８】
図９は、例示的な方法を示すための図５００である。図９に示すように、無線デバイス５０４，５０６は、基地局５０２とＷＷＡＮ通信中であり、無線デバイス５０６は、無線デバイス５０８とピア・ツー・ピア通信中であり、無線デバイス５１０，５１２は、ピア・ツー・ピア通信中である。例示的な方法によると、ピア・ツー・ピア・トラヒックがスパースである場合、または進行中のピア・ツー・ピア・リンクと特定のＷＷＡＮリンクとが互いにそれほど大きな干渉をもたらさない場合、ＷＷＡＮリンクとピア・ツー・ピア・リンクは、共にスケジューリングされ得る。
【００２９】
ＷＷＡＮにおいてピア・ツー・ピア通信をイネーブルにするために、専用時間／周波数ピア・ツー・ピア・リソース（たとえば、ピア・ツー・ピア・リソース４０４またはピア・ツー・ピア・リソース４５４）が、ピア・ツー・ピア通信によって通信するダイレクト・ピア・ツー・ピア・リンクのために予約される。ピア・ツー・ピア・リソースは、リンク間の競合を解消するための接続スケジューリング・リソースを含む。先に述べたように、ピア・ツー・ピア接続スケジューリング・リソースは、図５に関して説明された接続スケジューリング構造と同様の構造を有し得る。
【００３０】
ピア・ツー・ピア・リソースは、ピア・ツー・ピア・リンクがトラヒック・バースティネス（traffic burstiness ）ゆえに専用リソースのすべてを使用していない場合、十分に利用されることができない。たとえば、ピア・ツー・ピア・リソースは、ピア・ツー・ピア・リンク５０６，５０８および／またはピア・ツー・ピア・リンク５１０，５１２がピア・ツー・ピア・リソースのすべてを使用しない場合、十分に利用されることができない。例示的な構成では、ピア・ツー・ピア・リソースが十分に利用されない場合にピア・ツー・ピア・リソースをより良く利用するために、基地局５０２は、無線デバイスを、ピア・ツー・ピア・リソースにおけるＷＷＡＮ通信にスケジューリングする。たとえば、図９に示すように、基地局５０２が、無線デバイス５０６に、ＷＷＡＮリソース（たとえば、ＷＷＡＮリソース４０２またはＷＷＡＮリソース４５２）においてＵＬ許可５２０を、および／または、無線デバイス５０４に、ＷＷＡＮリソースにおいてＵＬ許可５２４を送信し得る。無線デバイス５０６は、送信をＴｘ−放棄すべきかどうかを決定するために、接続スケジューリングに参加し得る。無線デバイス５０６が送信をＴｘ−放棄しないと決定した場合、この無線デバイスは、ＵＬ５２２において基地局５０２に、ピア・ツー・ピア・リソースのＴＣＣＨのデータ・セグメントを使用して送信し得る。同様に、無線デバイス５０４は、送信をＴｘ−放棄すべきかどうかを決定するために、接続スケジューリングに参加し得る。無線デバイス５０４が送信をＴｘ−放棄しないと決定した場合、この無線デバイスは、ＵＬ５２６において基地局５０２に、ピア・ツー・ピア・リソースのＴＣＣＨのデータ・セグメントを使用して送信し得る。
【００３１】
ＷＷＡＮ通信にスケジューリングされた無線デバイス５０４，５０６は、他のピア・ツー・ピア・リンクよりも低いプライオリティでピア・ツー・ピア接続スケジューリングに参加し得る。すなわち、無線デバイス５０４，５０６は、ＷＷＡＮ通信のためにピア・ツー・ピア・リソース４０４，４５４を得ることを保証されない。しかしながら、より低いプライオリティであるとはいえ、それでもなお無線デバイス５０４，５０６は、ＷＷＡＮ通信のためにピア・ツー・ピア・リソースを得ることができる。たとえば、無線デバイス５０６は、無線リンク５０６，５０８のためのピア・ツー・ピア通信トラヒックがイナクティブである場合、基地局５０２とのＷＷＡＮ通信のためにピア・ツー・ピア・リソースを利用可能であることができ、ピア・ツー・ピア・リンク５１０，５１２は、データ送信５２２にそれほど大きな干渉をもたらさないであろうし、データ送信５２２は、ピア・ツー・ピア・リンク５１０，５１２にそれほど大きな干渉をもたらさないだろう。別の例では、無線デバイス５０４は、データ送信５２６がピア・ツー・ピア・リンク５１０，５１２およびピア・ツー・ピア・リンク５０６，５０８にそれほど大きな干渉をもたらさず、ピア・ツー・ピア・リンク５１０，５１２およびピア・ツー・ピア・リンク５０６，５０８がデータ送信５２６にそれほど大きな干渉をもたらさないようであれば、基地局５０２とのＷＷＡＮ通信のためにピア・ツー・ピア・リソースを利用可能であり得る。
【００３２】
例示的な方法によると、無線デバイス５０４は、基地局５０２からＷＷＡＮリソースにおいてＵＬ許可５２４を受信する。ＵＬ許可５２４は、ピア・ツー・ピア・リソースを使用するＵＬのためのものである。基地局５０２は、無線デバイス５０４を、他の無線デバイス５０６，５０８，５１０，５１２の位置に対する無線デバイス５０４の位置に基づいて、ピア・ツー・ピア・リソースを使用するＵＬにスケジューリングし得る。たとえば、ＷＷＡＮ  ＵＬ送信が成功する機会を増やすために、無線デバイス５０４が他の無線デバイス５０６，５０８，５１０，５１２から、他の無線デバイスに干渉をもたらさない程度に十分に離れている、と基地局５０２が決定した場合、基地局５０２は、無線デバイス５０４を、ピア・ツー・ピア・リソースを使用するＷＷＡＮ通信にスケジューリングし得る。
【００３３】
無線デバイス５０４は、図７Ｂに関連して説明されたように、ピア・ツー・ピア・リンク５０６，５０８およびピア・ツー・ピア・リンク５１０，５１２によって送信されるＲｘ−ブロックにおける送信要求応答信号をリッスンし、同デバイスが他のリンクにあまりに大きな干渉をもたらしそうであると決定した場合、Ｔｘ−放棄することを決定する。そうでない場合、無線デバイス５０４は、ピア・ツー・ピア・リソース４０４のＴＣＣＨのデータ・セグメントを使用して、ＵＬ５２６においてデータを送信する。
【００３４】
無線デバイス５０４および基地局５０２は、ピア・ツー・ピア・リンク５０６，５０８およびピア・ツー・ピア・リンク５１０，５１２よりも低い媒体アクセス・プライオリティで接続スケジューリングに参加し得る。他のピア・ツー・ピア・リンクよりも低い媒体アクセス・プライオリティであれば、無線デバイス５０４は、接続スケジューリングのＴｘ−ブロックにおいて送信する必要がない。あるいは、無線デバイス５０４は、ピア・ツー・ピア・リンク５０６，５０８および／またはピア・ツー・ピア・リンク５１０，５１２よりも高い媒体アクセス・プライオリティで接続スケジューリングに参加し得る。他のピア・ツー・ピア・リンクのいくつかよりも高い媒体アクセス・プライオリティであれば、無線デバイス５０４がＴｘ−ブロックにおいて送信することによって接続スケジューリングにアクティブに参加する場合、他のピア・ツー・ピア・リンクは、基地局５０２と無線デバイス５０４との間のリンクに負けて放棄し得る。より低いプライオリティのピア・ツー・ピア・リンクにおける受信無線デバイスは、無線デバイス５０４によってＴｘ−ブロックにおいて送られる送信要求信号に基づいて、Ｒｘ−放棄し得る。リソースが図８Ａに示すように分割された場合、基地局５０２はまた、合理性のあるＳＩＲが見込まれそうかどうかに基づいて、Ｒｘ−ブロックにおいて送信すること、およびＲｘ−放棄することによって、接続スケジューリングにアクティブに参加し得る。そのような構成では、基地局５０２が送信要求応答信号を送らないことによってＲｘ−放棄する場合、無線デバイス５０４は、データ送信を送ることを控える。リソースが図８Ｂに示すように分割された場合、基地局５０２は、ＵＬ帯域における基地局の半複信性（すなわち、同時送受信しないこと）により、接続スケジューリングにアクティブに参加し得ない。そのような構成では、無線デバイス５０４は、基地局５０２から送信要求応答信号を受信しなくても、基地局５０２にＵＬにおいてデータ送信を送り得る。
【００３５】
先に述べたように、接続スケジューリングに関し、無線デバイス５０４と基地局５０２の両方が接続スケジューリングにアクティブに参加することを控え得るか、無線デバイス５０４のみが基地局５０２なしで接続スケジューリングにアクティブに参加し得るか、または無線デバイス５０４と基地局５０２の両方が接続スケジューリングにアクティブに参加し得る。
【００３６】
ピア・ツー・ピア・リソースを使用するＵＬデータ送信のレートは、ＷＷＡＮリソースにおけるＷＷＡＮ制御チャネルによって決定され得る。加えて、スケジューリングされた無線デバイスは、ピア・ツー・ピア・リソースにおけるパイロットおよびＣＱＩメッセージの交換に参加する必要はない。無線デバイス５０４がＵＬ５２６において、ピア・ツー・ピア・リソースにおけるＴＣＣＨのデータ・セグメントにおいて送信する場合、基地局５０２は、メッセージを復号し、ＷＷＡＮリソースにおけるＷＷＡＮ制御チャネルを使用してＡＣＫ／ＮＡＣＫを返送する。ＡＣＫ／ＮＡＣＫメカニズムは、スケジューリングされた送信がＷＷＡＮ制御チャネル・オーバヘッドを減じるために、組み合わされ得る。
【００３７】
図１０は、例示的な方法を示すための図５５０である。基地局５０２は、無線デバイス５０６にＤＬ許可５５０を送り、および／または、無線デバイス５０４にＤＬ許可５５４を送り得る。基地局５０２と無線デバイス５０４との間の通信に関し、ＤＬ許可５５４は、データ送信５５６がピア・ツー・ピア・リソースを使用して無線デバイス５０４に送られ得ることを、無線デバイス５０４に示す。ＤＬ許可はさらに、ピア・ツー・ピア・リソースでのデータ送信についてのレート情報を含み得る。基地局５０２は、ピア・ツー・ピア・リソースにおいて、たとえば、無線デバイス５１０，無線デバイス５１２，無線デバイス５０６，および／または無線デバイス５０８からの送信要求応答信号といった、スケジューリング制御信号を受信する。スケジューリング制御信号（単数または複数）に基づいて、基地局５０２は、データ送信をＴｘ−放棄すべきかどうかを決定する。基地局が無線デバイス５０４へのデータ送信５５６をＴｘ−放棄しないことを決定した場合、基地局５０２は、ピア・ツー・ピア・リソースで無線デバイス５０４にデータ送信５５６を送る。基地局５０２は、データ送信に応答して、無線デバイス５０４からＷＷＡＮリソースでＡＣＫ／ＮＡＣＫを受信し得る。基地局５０２は、接続スケジューリングにアクティブに参加し得るので、無線デバイス５０４に送信要求信号を送り得る。無線デバイス５０４が接続スケジューリングにアクティブに参加し、送信要求信号に応答して送信要求応答信号を送らないことによってＲＸ−放棄した場合、基地局５０２は、データ送信５５６を送ることを控える。無線デバイス５０４が接続スケジューリングにアクティブに参加しない場合、基地局５０２は、無線デバイス５０４から送信要求応答信号を受信しなくても、無線デバイス５０４にデータ送信を送り得る。
【００３８】
先に述べたように、接続スケジューリングに関し、無線デバイス５０４と基地局５０２の両方が接続スケジューリングにアクティブに参加することを控え得るか、基地局５０２のみが無線デバイス５０４なしで接続スケジューリングにアクティブに参加し得るか、または無線デバイス５０４と基地局５０２の両方が接続スケジューリングにアクティブに参加し得る。
【００３９】
図１１は、例示的な方法のフローチャート６００である。この方法は、無線デバイスによって実行される。図１１に示すように、無線デバイスは、ピア・ツー・ピア・リソースと直交するＷＷＡＮリソースで基地局からＵＬ許可を受信し得る（６０４）。このＵＬ許可は、データ送信がＵＬにおいてピア・ツー・ピア・リソースを使用して基地局に送られ得ることを示す（６０４）。無線デバイスは、ピア・ツー・ピア・リソースと直交するＷＷＡＮリソースでデータ送信についてのレート情報を受信する（６０６）。無線デバイスは、送信要求を基地局に送ることによって接続スケジューリングにアクティブに参加し得る（６０８）。接続スケジューリングにおいて、無線デバイスは、ピア・ツー・ピア・リソースにおいてスケジューリング制御信号を受信する（６１０）。スケジューリング制御信号は、基地局以外の別の無線デバイスから受信された送信要求応答信号であり得る。基地局が接続スケジューリングにアクティブに参加している場合、無線デバイスは、送信要求に応答して送信要求応答信号が基地局から受信されない場合（すなわち、基地局がＲｘ−放棄した場合）、データ送信を送ることを控え得る（６１２）。基地局が接続スケジューリングにアクティブに参加していない場合、無線デバイスは、基地局から送信要求応答信号を受信しなくても基地局にデータ送信を送り得る。
【００４０】
無線デバイスは、受信されたスケジューリング制御信号に基づいて、データ送信を放棄すべきかどうかを決定する（６１４）。すなわち、無線デバイスは、基地局以外の別の無線デバイスから受信された送信要求応答信号に基づいて、データ送信をＴｘ−放棄し得る。無線デバイスは、データ送信を放棄しないことを決定すると、データ送信をピア・ツー・ピア・リソースで基地局に送る（６１６）。無線デバイスは、データ送信に応答して、基地局からＡＣＫ／ＮＡＣＫを受信する（６１８）。ＡＣＫ／ＮＡＣＫは、ピア・ツー・ピア・リソースと直交するＷＷＡＮリソースにおいて受信される（６１８）。
【００４１】
図１２は、例示的な方法のフローチャート７００である。この方法は、基地局によって実行される。図１２に示すように、基地局は、ピア・ツー・ピア・リソースと直交するＷＷＡＮリソースで無線デバイスにＤＬ許可を送る（７０２）。このＤＬ許可は、データ送信がピア・ツー・ピア・リソースを使用して無線デバイスに送られ得ることを示す（７０２）。ＤＬ許可は、ピア・ツー・ピア・リソースでのデータ送信についてのレート情報を含み得る。基地局は、送信要求を無線デバイスに送ることによって接続スケジューリングにアクティブに参加し得る（７０４）。接続スケジューリングにおいて、基地局は、ピア・ツー・ピア・リソースにおいてスケジューリング制御信号を受信する（７０６）。スケジューリング制御信号は、その無線デバイス以外の別の無線デバイスから受信された送信要求応答信号であり得る。無線デバイスが接続スケジューリングにアクティブに参加している場合、基地局は、送信要求に応答して送信要求応答信号が無線デバイスから受信されない場合（すなわち、無線デバイスがＲｘ−放棄した場合）、データ送信を送ることを控え得る（７０８）。無線デバイスが接続スケジューリングにアクティブに参加していない場合、基地局は、無線デバイスから送信要求応答信号を受信しなくても、無線デバイスにデータ送信を送り得る。基地局は、受信されたスケジューリング制御信号に基づいて、データ送信を放棄すべきかどうかを決定する（７１０）。すなわち、基地局は、その無線デバイス以外の別の無線デバイスから受信された送信要求応答信号に基づいて、データ送信をＴｘ−放棄すべきかどうかを決定する。基地局がデータ送信をＴｘ−放棄しないことを決定した場合、基地局は、ピア・ツー・ピア・リソースで無線デバイスにデータ送信を送る（７１２）。基地局は、データ送信に応答して、無線デバイスからＡＣＫ／ＮＡＣＫを受信する（７１４）。ＡＣＫ／ＮＡＣＫは、ピア・ツー・ピア・リソースと直交するＷＷＡＮリソースにおいて受信される（７１４）。
【００４２】
図１３は、例示的な装置１００の機能を示す概念的なブロック図８００である。装置１００は、無線デバイスである。装置１００は、ピア・ツー・ピア・リソースにおいてスケジューリング制御信号を受信するモジュール８０２を含む。加えて、装置１００は、受信されたスケジューリング制御信号に基づいて、データ送信を放棄すべきかどうかを決定するモジュール８０４を含む。さらに、装置１００は、データ送信を放棄しないことを決定すると、データ送信をピア・ツー・ピア・リソースで基地局に送るモジュール８０６を含む。
【００４３】
図１４は、例示的な装置１００の機能を示す概念的なブロック図９００である。装置１００は、基地局である。装置１００は、ピア・ツー・ピア・リソースにおいてスケジューリング制御信号を受信するモジュール９０２を含む。加えて、装置１００は、受信されたスケジューリング制御信号に基づいて、データ送信を放棄すべきかどうかを決定するモジュール９０４を含む。さらに、装置１００は、データ送信を放棄しないことを決定すると、データ送信をピア・ツー・ピア・リソースで無線デバイスに送るモジュール９０６を含む。
【００４４】
図１５は、例示的な方法のフローチャート１０００である。この方法は、無線デバイスによって実行される。図１５に示すように、無線デバイスは、ピア・ツー・ピア・リソースと直交するＷＷＡＮリソースで基地局からＤＬ許可を受信する（１００２）。このＤＬ許可は、データ送信がピア・ツー・ピア・リソースを使用して無線デバイスに送られ得ることを示す（１００２）。このＤＬ許可は、ピア・ツー・ピア・リソースでのデータ送信についてのレート情報を含み得る。無線デバイスが接続スケジューリングにアクティブに参加する場合、無線デバイスは、ピア・ツー・ピア・リソースにおいてスケジューリング制御信号を受信することができ（１００４）、受信されたスケジューリング制御信号に基づいて、データ送信をＲｘ−放棄すべきかどうかを決定し得る（１００６）。スケジューリング制御信号は、基地局以外の別の無線デバイスから受信された送信要求信号であり得る。無線デバイスは、基地局に送信要求応答信号を送ることを控えることによって、Ｒｘ−放棄する。無線デバイスは、ピア・ツー・ピア・リソースで基地局からデータ送信を受信する（１００８）。無線デバイスが接続スケジューリングにアクティブに参加する場合、データ送信をＲｘ−放棄しないことが決定されると、データ送信が、ピア・ツー・ピア・リソースで基地局から受信され得る。無線デバイスは、データ送信に応答して、基地局にＡＣＫ／ＮＡＣＫを送り得る（１０１０）。ＡＣＫ／ＮＡＣＫは、ピア・ツー・ピア・リソースと直交するＷＷＡＮリソースにおいて送られる（１０１０）。
【００４５】
図１６は、例示的な装置１００の機能を示す概念的なブロック図１１００である。装置１００は、無線デバイスである。装置１００は、ピア・ツー・ピア・リソースと直交するＷＷＡＮリソースで基地局からＤＬ許可を受信するモジュール１１０２を含む。このＤＬ許可は、データ送信がピア・ツー・ピア・リソースを使用して無線デバイスに送られ得ることを示す。加えて、装置１００は、ピア・ツー・ピア・リソースで基地局からデータ送信を受信するモジュール１１０４を含む。
【００４６】
図１を参照すると、１つの構成において、装置１００は、無線デバイスであり、ピア・ツー・ピア・リソースにおいてスケジューリング制御信号を受信するための手段と、受信されたスケジューリング制御信号に基づいて、データ送信を放棄すべきかを決定するための手段と、データ送信を放棄しないことを決定すると、データ送信をピア・ツー・ピア・リソースで基地局に送るための手段と、を含む。１つの構成において、装置１００は、ピア・ツー・ピア・リソースと直交するＷＷＡＮリソースで基地局からＵＬ許可を受信するための手段を含む。このＵＬ許可は、データ送信がピア・ツー・ピア・リソースを使用して基地局に送られ得ることを示す。そのような構成において、装置１００はさらに、ピア・ツー・ピア・リソースと直交するＷＷＡＮリソースでのデータ送信についてのレート情報を受信するための手段を含み得る。装置１００はさらに、データ送信に応答して基地局からＡＣＫ／ＮＡＣＫを受信するための手段を含み得る。ＡＣＫ／ＮＡＣＫは、ピア・ツー・ピア・リソースと直交するＷＷＡＮリソースにおいて受信される。装置１００はさらに、送信要求を基地局に送るための手段を含み得る。装置１００はさらに、送信要求応答信号が基地局から受信されない場合、データ送信を送ることを控えるための手段を含み得る。上記手段は、上記手段によって説明された機能を実行するように構成された処理システム１１４である。
【００４７】
別の構成において、装置１００は、基地局であり、ピア・ツー・ピア・リソースにおいてスケジューリング制御信号を受信するための手段と、受信されたスケジューリング制御信号に基づいて、データ送信を放棄すべきかを決定するための手段と、データ送信を放棄しないことを決定すると、データ送信をピア・ツー・ピア・リソースで無線デバイスに送るための手段と、を含む。装置１００はさらに、ピア・ツー・ピア・リソースと直交するＷＷＡＮリソースで無線デバイスにＤＬ許可を送るための手段を含み得る。このＤＬ許可は、データ送信がピア・ツー・ピア・リソースを使用して無線デバイスに送られ得ることを示す。装置１００はさらに、データ送信に応答して無線デバイスからＡＣＫ／ＮＡＣＫを受信するための手段を含み得る。ＡＣＫ／ＮＡＣＫは、ピア・ツー・ピア・リソースと直交するＷＷＡＮリソースにおいて受信される。装置１００はさらに、送信要求を無線デバイスに送るための手段を含み得る。装置１００はさらに、送信要求応答信号が無線デバイスから受信されない場合、データ送信を送ることを控えるための手段を含み得る。上記手段は、上記手段によって説明された機能を実行するように構成された処理システム１１４である。
【００４８】
別の構成において、装置１００は、無線デバイスであり、ピア・ツー・ピア・リソースと直交するＷＷＡＮリソースで基地局からＤＬ許可を受信するための手段を含む。このＤＬ許可は、データ送信がピア・ツー・ピア・リソースを使用して無線デバイスに送られ得ることを示す。この装置はさらに、ピア・ツー・ピア・リソースで基地局からデータ送信を受信するための手段を含む。装置１００はさらに、ピア・ツー・ピア・リソースにおいてスケジューリング制御信号を受信するための手段と、受信されたスケジューリング制御信号に基づいて、データ送信を放棄すべきかどうかを決定するための手段とを含み得る。装置１００はさらに、データ送信に応答して基地局にＡＣＫ／ＮＡＣＫを送るための手段を含み得る。上記手段は、上記手段によって説明された機能を実行するように構成された処理システム１１４である。
【００４９】
開示された処理におけるステップの特定の順序または階層は、例示的なアプローチの一例であるということが理解されるべきである。設計の優先性に基づいて、これらの処理におけるステップの特定の順序または階層は並べ替えられ得るということが理解されるべきである。添付の方法の請求項は、例示的な順序でさまざまなステップのエレメントを提示しているが、提示された特定の順序または階層に限定されることを意図するものではない。
【００５０】
先の説明は、本明細書に説明されたさまざまな態様の実現をいずれの当業者にも可能にさせるために提供されている。これらの態様に対するさまざまな変更は、当業者に容易に理解され、本明細書において定義された一般的な原理は、他の態様に適用され得る。したがって、特許請求の範囲は、明細書に示された態様に限定されることを意図するものではなく、特許請求の範囲における記載と一致する全範囲を付与されるべきものであり、単数形でのエレメントへの言及は、そうであるとの明確な記載がない限り、「１つ、および１つのみ」を意味することは意図せず、「１つ以上」を意味するものとする。そうでないとの明確な記載がない限り、「何らかの」という用語は、１つ以上を意味する。当業者に周知の、または後に周知となる、この開示を通して説明されたさまざまな態様のエレメントと構造的および機能的に同等な物はすべて、引用によって本明細書に明確に組み込まれ、特許請求の範囲に含まれることが意図される。さらに、本明細書におけるどの開示も、その開示が特許請求の範囲に明示的に記載されているか否かに関わらず、一般社会に献呈されることを意図するものではない。特許請求の範囲のどのエレメントも、そのエレメントが明確に「〜のための手段」という句を使用して記載されていない限り、または、方法の請求項の場合には、そのエレメントが「〜するためのステップ」という句を使用して記載されていない限り、３５Ｕ．Ｓ．Ｃ．§ １１２、第６パラグラフの規定の下に解釈されるべきでない。
【図１】
2013543325.tif 000003
【図２】
2013543325.tif 000004
【図３】
2013543325.tif 000005
【図４】
2013543325.tif 000006
【図５】
2013543325.tif 000007
【図６】
2013543325.tif 000008
【図７Ａ】
2013543325.tif 000009
【図７Ｂ】
2013543325.tif 000010
【図８Ａ】
2013543325.tif 000011
【図８Ｂ】
2013543325.tif 000012
【図９】
2013543325.tif 000013
【図１０】
2013543325.tif 000014
【図１１】
2013543325.tif 000015
【図１２】
2013543325.tif 000016
【図１３】
2013543325.tif 000017
【図１４】
2013543325.tif 000018
【図１５】
2013543325.tif 000019
【図１６】
2013543325.tif 000020
【国際調査報告】
2013543325.tif 000021
2013543325.tif 000022